(57)【要約】【課題】ＣＡＴＶ局などのローカル局が、大きな設備負担を伴わずに、自主放送を含む配信放送の番組情報を全局ＳＩ方式で送出することができるローカル局装置を提供する。【解決手段】ローカル局装置（３０）は、番組情報提供側（１０）から取得した共通サービスの番組と、自主サービスの番組とを配信する。ローカル局装置（３０）は、番組情報提供側（１０）から、共通サービスの番組と、前記共通サービスおよび全ローカル局の自主サービスの番組配列情報（ＳＩ）とを受信する受信部（３１）と、前記番組配列情報（ＳＩ）に付された自局放送用のパケットＩＤ（ＰＩＤ）を本来のＰＩＤに置換するＰＩＤ置換部（６６）と、前記番組配列情報（ＳＩ）と、自局で放送する共通サービスの番組および自主サービスの番組とを多重化して配信する多重化部（４８）とを有する。【選択図】図２
2008178123.tif 000002
【特許請求の範囲】
【請求項１】
番組情報提供側から取得した共通サービスの番組と、自主サービスの番組とを配信するローカル局装置であって、
前記番組情報提供側から、共通サービスの番組と、前記共通サービスおよび全ローカル局の自主サービスの番組配列情報（ＳＩ）とを受信する受信部と、
前記番組配列情報（ＳＩ）に付された自局放送用のパケットＩＤ（ＰＩＤ）を本来のＰＩＤに置換するＰＩＤ置換部と、
前記番組配列情報（ＳＩ）と、自局で放送する共通サービスの番組および自主サービスの番組とを多重化して配信する多重化部と、
を有するローカル局装置。
【請求項２】
前記ＰＩＤ置換部は、
前記番組情報提供側からの前記番組配列情報（ＳＩ）であるイベント情報テーブル（ＥＩＴ）およびサービス記述テーブル（ＳＤＴ）のＰＩＤをそれぞれ本来のＰＩＤに置換する、
請求項１記載のローカル局装置。
【請求項３】
番組情報提供側から取得した共通サービスの番組と、自主サービスの番組とを配信するローカル局の配信方法であって、
前記番組情報提供側から、共通サービスの番組と、前記共通サービスおよび全ローカル局の自主サービスの番組配列情報（ＳＩ）とを受信するステップと、
前記番組配列情報（ＳＩ）に付された自局放送用のパケットＩＤ（ＰＩＤ）を本来のＰＩＤに置換するステップと、
前記番組配列情報（ＳＩ）と、自局で放送する共通サービスの番組および自主サービスの番組とを多重化して配信するステップと、
を有するローカル局の配信方法。
【発明の詳細な説明】
【技術分野】
【０００１】
本発明は、ＣＡＴＶ局などのローカル局からデジタル放送の番組情報を送出するシステムと、そのシステムを構成する装置に関し、特に、ローカル局が自主放送する番組の番組情報を低コストの機器を用いて配信することを可能にするものである。
【背景技術】
【０００２】
デジタル放送では、番組の映像、音声データとともに、選局や番組選択、番組表表示などを実現する目的の情報が多重化されて放送される。これらの情報には、ＮＩＴ（Network Information Table）やＰＡＴ（Program Association Table）、ＰＭＴ（Program Map Table）、ＣＡＴ（Conditional Access Table）を含むＰＳＩ（Program Specific Information：プログラム仕様情報）が有り、また、ＥＩＴ（Event Information Table）やＳＤＴ（Service Description Table）を含むＳＩ（Service Information：番組配列情報）が有る。
【０００３】
これらのテーブルには、次のような情報が記述される。
ＮＩＴ：ネットワークに関する情報を記述する。トランスポートストリーム（ＴＳ）へのチューニング情報や、サービス（チャネルと同義）ＩＤとサービスタイプとが記述されたサービスリストを含む。
ＰＡＴ：プログラム（チャネルと同義）とＰＭＴのパケットＩＤ（ＰＩＤ）との対応を記述する。
ＰＭＴ：プログラム（チャネルと同義）を構成するＥＳ（Elementary Stream）の種類やＰＩＤを記述する。
ＣＡＴ：限定受信方式に関する情報を記述する。
ＥＩＴ：イベントに関する情報（番組ＩＤ、番組名、番組開始時刻、番組長等）を記述する。
ＳＤＴ：サービス（チャネルと同義）に関する情報（サービスＩＤ、サービス名、サービス種等）を記述する。
【０００４】
ＰＳＩ及びＳＩのテーブルは繰り返し同じ内容が放送される。ＰＳＩ及びＳＩのテーブルにはバージョン番号が付されており、内容が変わるとバージョン番号が上がる。受信装置（ＩＲＤ）は、バージョン番号を見て最新のテーブルを受け取る。
【０００５】
また、受信装置は、ＮＩＴを見て、ネットワーク内の全てのサービスが記述されたサービスリストを取得する。また、ＳＤＴを見て、サービスの名前などの情報を取得し、ＥＩＴを見て番組の放送スケジュールを取得し、このＳＤＴ及びＥＩＴの情報から電子番組表（ＥＰＧ）を作成して表示する。
【０００６】
このとき、受信装置は、ＮＩＴの情報によりサービスを知ることができ、ＮＩＴの情報が無ければ、ＳＤＴやＥＩＴの情報を受信しても、電子番組表を作成することはできない。
【０００７】
また、番組情報の送信方式には、１つのトランスポートストリーム（ＴＳ）の中に、そのＴＳで送出するチャネル（サービス）の情報だけでなく、他のすべてのＴＳで送出しているチャネルの情報を合わせて送信する“全局ＳＩ方式”と呼ばれる方式と、１つのＴＳを使って、全てのＴＳで送出するチャネル（サービス）の情報を纏めて送信する方式とがある。
【０００８】
全局ＳＩ方式では、視聴中の番組を中断することなく、受信装置に全局の番組表を表示させることができるので、視聴者には都合が良い。
【０００９】
ところで、デジタル放送は、ＣＡＴＶを通じて視聴される割合が増加しつつある。
【００１０】
ＣＡＴＶ局では、衛星などを通じて受信したデジタル放送を、変調方式だけをケーブルテレビに適した方式（６４ＱＡＭ）に変えて再送信しているが、最近は、そうした放送局からの放送（共通放送）だけでなく、ＣＡＴＶ局が独自に制作した自主放送番組を自主放送チャネルを使って加入者に配信することも行われている。自主放送チャネルは、所望のＴＳに再多重することでＴＳに挿入することができる。
【００１１】
このようにＣＡＴＶ局が自主放送番組を配信する場合は、その番組の番組情報を加入者に知らせることが必要であり、放送局から送られてくる番組情報をそのまま再送信するのでは無く、自主放送の番組情報を含めるような加工処理が求められる。
【００１２】
ＣＡＴＶ局が受信した番組情報に加工を施して再送信することは、全てのＴＳで送出するチャネル（サービス）の番組情報を、特定のＴＳを使って纏めて送信する番組情報送信方式の場合には、処理しやすい。下記に示す特許文献１には、この番組情報送信方式を採るＣＡＴＶ再送信装置が記載され、ＢＳデジタル放送やＣＳデジタル放送から受信した情報形式の異なる番組情報を再構築し、特定のＴＳを使って再送信する方法が記載されている。
【００１３】
しかし、全局ＳＩ方式の場合は、全てのＴＳに含まれる番組情報を加工しなければならないため、処理が複雑になる。図８は、自主放送の番組情報を全局ＳＩ方式で配信する従来のＣＡＴＶ局３０と、ＣＡＴＶ局３０に共通放送の映像／音声情報や番組情報を提供する番組情報提供側１０と、ＣＡＴＶ局３０からケーブルで放送を受信する受信機８０との構成を示している。
【００１４】
番組情報提供側１０は、共通放送のサービスリスト（共通サービスリスト）を含むＮＩＴ等のＰＳＩ情報を生成する共通ＰＳＩ生成部１１と、共通放送のＳＩ情報を生成する共通ＳＩ生成部１２と、共通放送の映像／音声データを符号化するエンコーダ（ＥＮＣ）１４、１７と、共通ＰＳＩ生成部１１及び共通ＳＩ生成部１２で生成されたＳＩ／ＰＳＩ情報をＴＳパケットに成形して送出するＴＳパケット送出部１３、１６と、ＴＳパケット送出部１３、１６から送出されたＳＩ／ＰＳＩ情報とＥＮＣ１４、１７から出力された符号化された映像／音声データとを多重する多重部（ＭＵＸ）１５、１８と、各ＭＵＸ１５、１８の出力を無線信号に乗せて送信するＲＦ多重部１９とを備えている。ＥＮＣ（１４、１７）、ＴＳパケット送出部（１３、１６）、及びＭＵＸ（１５、１８）は、複数のＴＳのそれぞれに対応して設けられている。
【００１５】
ＣＡＴＶ局３０は、番組情報提供側１０からの送信信号を受信するアンテナ３１と、受信信号をＴＳごとに分離する分離器（ＤＩＶ）３２と、ＴＳパケットを抽出するＩＲＴ３３、３６、３９と、番組情報提供側１０から送られたＳＩ／ＰＳＩ情報を削除するＰＩＤ置換部３４、３７、４０と、ＣＡＴＶ局３０が提供するサービスのサービスリストを含むＮＩＴなどを生成するＰＳＩ生成部４４と、ＣＡＴＶ局３０が提供するサービスのＳＩ情報を生成するＳＩ生成部４５と、ＰＳＩ生成部４４及びＳＩ生成部４５で生成されたＳＩ／ＰＳＩ情報をＴＳパケットに成形して送出するＴＳパケット送出部３５、３８、４１と、自主放送用の映像／音声データを符号化するＥＮＣ４２と、自主放送に対する契約情報などを送出する受信機設定部４３と、ＰＩＤ置換部３４、３７の出力とＴＳパケット送出部３５、３８の出力とを多重するＭＵＸ４６、４７と、ＰＩＤ置換部４０、ＴＳパケット送出部４１、ＥＮＣ４２及び受信機設定部４３の出力を多重するＭＵＸ４８と、不正視聴防止のためＭＵＸ４６、４７、４８の出力を暗号化するＳＣＲ４９、５０、５１と、ＳＣＲ４９、５０、５１の出力を６４ＱＡＭ変調する変調器５２、５３、５４と、変調器５２、５３、５４の出力を混合する混合器（ＭＩＸ）５５とを備えている。ＩＲＴ（３３、３６、３９）、ＰＩＤ置換部（３４、３７、４０）、ＴＳパケット送出部（３５、３８、４１）、ＭＵＸ（４６、４７、４８）、ＳＣＲ（４９、５０、５１）、及び変調器（５２、５３、５４）は、複数のＴＳのそれぞれに対応して設けられている。
【００１６】
また、受信機８０は、ＴＳをチューニングするチューナー８１と、ＴＳを復調するＴＳ復調部８２と、暗号化を解除するＣＡ Ｄｅｓｃ８５と、ＡＶのＴＳパケットとＳＩ／ＰＳＩ情報のＴＳパケットとを分離するＤｅ ＭＵＸ８５と、契約情報の管理及び視聴制御を行う設定管理部８４と、映像音声を表示するＡＶ表示部８９と、ＳＩ／ＰＳＩ情報を使ってＥＰＧ処理を行うＥＰＧ処理部８６と、電子番組表を表示するＥＰＧ表示部９０とを備えている。
【００１７】
ＥＰＧ処理部８６は、Ｄｅ ＭＵＸ８５からＳＩ／ＰＳＩを受け取ると、ＰＳＩに含まれるＮＩＴをＮＩＴ受信部８８で受信してＮＩＴ格納部８７に格納する。また、ＳＩ／ＰＳＩ情報を使って電子番組表を作成し、ＥＰＧ表示部９０に表示する。ユーザがＥＰＧから選局すると、ＮＩＴの情報を基にチューナー８１にチューニングの指示を出し、また、ＳＩ／ＰＳＩ情報からＡＶ表示に用いるＴＳパケットのＰＩＤを識別してＤｅ ＭＵＸ８５に伝える。Ｄｅ ＭＵＸ８５は、伝えられたＰＩＤのＴＳパケットを分離してＡＶ表示部８９に送り、ＡＶ表示部８９は映像・音声を表示する。
【００１８】
また、Ｄｅ ＭＵＸ８５は、限定受信制御情報（ＣＡ）や鍵個別情報（ＥＭＭ）を設定管理部８４に送り、設定管理部８４は、これらの情報を基に、ＣＡ Ｄｅｓｃ８５での暗号化の解除を制御する。
【００１９】
この番組情報提供側１０は、共通放送のＳＩ／ＰＳＩ情報を全局ＳＩ方式により送出する。
【００２０】
なお、日本のＣＡＴＶ規格では、ＳＩ／ＰＳＩ情報を送出する場合に、これらの情報のＴＳパケットには、ＴＳに因らずに固定のＰＩＤを付すことが規定されている。例えば、ＥＩＴ（番組情報）のＰＩＤは“０ｘ１２”であり、ＳＤＴ（チャネル情報）のＰＩＤは“０ｘ４２”である。このようにＳＩ／ＰＳＩ情報のＰＩＤを固定することにより、受信側では、ＰＩＤを見るだけでＳＩ／ＰＳＩ情報を識別することができる。
【００２１】
一方、ＣＡＴＶ局３０は、ＣＡＴＶ局３０が提供するサービスのＳＩ／ＰＳＩ情報をＰＳＩ生成部４４及びＳＩ生成部４５で生成する。ＣＡＴＶ局３０が提供するサービスには、番組情報提供側１０から提供される共通放送のサービスと自主放送のサービスとが含まれる。また、このとき、共通放送サービスの一部を、提供するサービスから除くことも可能である。
【００２２】
ＣＡＴＶ局３０は、受信情報に含まれる、番組情報提供側１０が設定したＳＩ／ＰＳＩ情報をＰＩＤ置換部３４、３７、４０で全て削除し、代わりに、ＰＳＩ生成部４４及びＳＩ生成部４５で生成したＳＩ／ＰＳＩ情報を全局ＳＩ方式により送出する。
【００２３】
こうした構成により、ＣＡＴＶ局３０は、自主放送の番組情報を含むＳＩ／ＰＳＩ情報を全局ＳＩ方式で送出することが可能になる。
【特許文献１】特開２００１−２１８１８２号公報
【発明の開示】
【発明が解決しようとする課題】
【００２４】
しかし、このＣＡＴＶ局では、ＳＩ／ＰＳＩ情報を番組情報提供側に代わって作成し直しているため、番組情報提供側と同程度の高価なＳＩ／ＰＳＩ情報生成機器を持つ必要があり、中小規模のＣＡＴＶ局にとって負担が重すぎると云う問題点がある。
【００２５】
この場合、番組情報提供側から送られて来るＳＩ／ＰＳＩ情報を破棄せずに、この中に自主放送の番組情報を挿入して再送信することができれば、ＣＡＴＶ局の設備負担は軽くなるが、ＳＩ／ＰＳＩ情報はセクションに分割され、そのセクションがさらにＴＳパケットに分割されて送られてくるため、ＳＩ／ＰＳＩ情報の切れ目を見つけて自主放送の番組情報を挿入することは技術的に極めて困難である。また、無闇な位置に自主放送の番組情報を挿入すると、ＳＩ／ＰＳＩ情報のセクションが崩れ、受信側でＳＩ／ＰＳＩ情報が再構成できなくなる。
【００２６】
本発明は、こうした従来の問題点を解決するものであり、ＣＡＴＶ局などのローカル局が、大きな設備負担を伴わずに、自主放送を含む配信放送の番組情報を全局ＳＩ方式で送出することができるローカル局装置およびローカル局の配信方法を提供することを目的としている。
【課題を解決するための手段】
【００２７】
本発明に係るローカル局装置は、番組情報提供側から取得した共通サービスの番組と、自主サービスの番組とを配信するローカル局装置であって、前記番組情報提供側から、共通サービスの番組と、前記共通サービスおよび全ローカル局の自主サービスの番組配列情報（ＳＩ）とを受信する受信部と、前記番組配列情報（ＳＩ）に付された自局放送用のパケットＩＤ（ＰＩＤ）を本来のＰＩＤに置換するＰＩＤ置換部と、前記番組配列情報（ＳＩ）と、自局で放送する共通サービスの番組および自主サービスの番組とを多重化して配信する多重化部と、を有する構成を採る。
【００２８】
本発明に係るローカル局の配信方法は、番組情報提供側から取得した共通サービスの番組と、自主サービスの番組とを配信するローカル局の配信方法であって、前記番組情報提供側から、共通サービスの番組と、前記共通サービスおよび全ローカル局の自主サービスの番組配列情報（ＳＩ）とを受信するステップと、前記番組配列情報（ＳＩ）に付された自局放送用のパケットＩＤ（ＰＩＤ）を本来のＰＩＤに置換するステップと、前記番組配列情報（ＳＩ）と、自局で放送する共通サービスの番組および自主サービスの番組とを多重化して配信するステップと、を有するようにした。
【発明の効果】
【００２９】
本発明によれば、ローカル局に高価な設備を導入しなくても、自主サービスを含むローカル局のサービスの番組情報を、全局ＳＩ方式で配信することができる。
【発明を実施するための最良の形態】
【００３０】
本発明では、ローカル局が、番組情報提供側から取得した共通サービスの映像／音声情報と自主サービスの映像／音声情報とを配信し、その番組情報を全局ＳＩ方式で配信する番組情報送出システムにおいて、番組情報提供側は、共通サービス及び全ローカル局の自主サービスのＳＩ情報と、少なくとも共通サービスのサービスリストを持つＮＩＴとを作成して、それらをＴＳパケット化して送出し、ローカル局は、自局のサービスリストを持つ自局用ＮＩＴを生成して、番組情報提供側から受信したＮＩＴを自局用ＮＩＴで置換し、この自局用ＮＩＴと、番組情報提供側から受信したＳＩ情報と、自局で放送する共通サービスの映像音声情報と、自主サービスの映像音声情報とを多重化して送出するように構成している。
【００３１】
こうした構成により、ローカル局は、自局用ＮＩＴを生成する生成手段を持つだけで、自主サービスを含む自局のサービスの番組情報を全局ＳＩ方式で配信することができる。
【００３２】
また、本発明の番組情報送出システムでは、番組情報提供側は、共通サービス及び全ローカル局の自主サービスのＳＩ情報と、各ローカル局のサービスリストを持つＮＩＴとを作成して、このＮＩＴにローカル局ごとのＰＩＤを付して、ＳＩ情報とともにＴＳパケット化して送出し、これを受信したローカル局は、自局用ＰＩＤが付されたＮＩＴのＰＩＤを本来のＰＩＤに置換し、このＮＩＴと、番組情報提供側から受信したＳＩ情報と、自局で放送する共通サービスの映像音声情報と、自主サービスの映像音声情報とを多重化して送出するように構成している。
【００３３】
こうした構成により、ローカル局は、ＮＩＴ生成手段も持つことなく、自主サービスを含む自局のサービスの番組情報を全局ＳＩ方式で配信することが可能になる。
【００３４】
また、本発明では、番組情報提供側から取得した共通サービスの映像／音声情報と自主サービスの映像／音声情報とを配信し、その番組情報を全局ＳＩ方式で配信するローカル局装置において、自局のサービスリストを持つ自局用ＮＩＴを生成するＮＩＴ生成手段と、番組情報提供側から受信したＮＩＴを自局用ＮＩＴで置換するＮＩＴ置換手段とを設け、番組情報提供側から共通サービス及び全ローカル局の自主サービスのＳＩ情報を取得して、このＳＩ情報と、自局用ＮＩＴと、自局で放送する共通サービスの映像音声情報と、自主サービスの映像音声情報とを多重化して送出するように構成している。
【００３５】
こうした構成により、ローカル局は、自局用ＮＩＴを生成する生成手段を持つだけで、自主サービスを含む自局のサービスの番組情報を全局ＳＩ方式で配信することができ、設備負担が軽減される。
【００３６】
また、本発明のローカル局装置では、自局用ＰＩＤが付された自局のサービスリストを持つＮＩＴを番組情報提供側から取得して、この自局用ＰＩＤをＮＩＴ本来のＰＩＤに置換するＰＩＤ置換手段を設け、番組情報提供側から共通サービス及び全ローカル局の自主サービスのＳＩ情報を取得して、このＳＩ情報と、ＰＩＤ置換手段が置換したＮＩＴと、自局で放送する共通サービスの映像音声情報と、自主サービスの映像音声情報とを多重化して送出するように構成している。
【００３７】
こうした構成により、ローカル局は、ＮＩＴ生成手段も不要になり、設備負担をさらに軽減できる。
【００３８】
また、本発明では、ローカル局から共通サービスの映像／音声情報と自主サービスの映像／音声情報と、その番組情報との配信を受ける受信機において、特定のＴＳからローカル局のサービスリストと共通サービスのサービスリストとの差分情報を取得する差分情報受信手段と、他のＴＳから共通サービスのサービスリストの情報を取得するＮＩＴ受信手段と、差分情報受信手段及びＮＩＴ受信手段が取得した情報からローカル局のサービスリストを持つＮＩＴを合成するＮＩＴ合成手段とを設けている。
【００３９】
こうした構成により、ローカル局のサービスリストを持つＮＩＴを受信機側で合成することができる。
【００４０】
また、本発明の受信機では、ローカル局から受信した当該受信機の設定管理情報より自主サービスのサービスリストを持つＮＩＴを抽出するＮＩＴ抽出手段と、ＮＩＴ抽出手段が抽出したＮＩＴの情報と、ＴＳを参照して取得した共通サービスのサービスリストの情報とを加工してローカル局のサービスリストを持つＮＩＴを合成するＮＩＴ加工手段とを設けている。
【００４１】
こうした構成により、ローカル局のサービスリストを持つＮＩＴを受信機側で合成することができる。
【００４２】
以上の説明から明らかなように、本発明の番組情報送出システムでは、ローカル局に高価な設備を導入しなくても、自主サービスを含むローカル局のサービスの番組情報を、全局ＳＩ方式で配信することができる。
【００４３】
また、本発明の装置は、こうした番組情報送出システムの実現を可能にする。
【００４４】
以下、本発明の実施の形態について、図面を用いて説明する。
【００４５】
（第１の実施形態）
本発明の第１の実施形態では、ＣＡＴＶ局が、自身で提供するサービスのサービスリストを含むＮＩＴを生成して、番組情報提供側から送られて来るＮＩＴと置き換えて送出する番組情報送出システムについて説明する。
【００４６】
このシステムを構成する番組情報提供側１０は、図１に示すように、共通放送のＰＳＩ情報と各ＣＡＴＶ局３０が独自に行う自主放送のＰＳＩ情報とを作成する全ＰＳＩ生成部２０と、共通放送のＳＩ情報と各ＣＡＴＶ局３０が独自に行う自主放送のＳＩ情報とを作成する全ＳＩ生成部２１とを備えており、その他に、図８の番組情報提供側１０と同様に、共通放送の映像／音声データを符号化するエンコーダ（ＥＮＣ）１４、１７と、全ＰＳＩ生成部２０及び全ＳＩ生成部２１で生成されたＳＩ／ＰＳＩ情報のＴＳパケットを送出するＴＳパケット送出部１３、１６と、ＴＳパケット送出部１３、１６から送出されたＳＩ／ＰＳＩ情報とＥＮＣ１４、１７から出力された符号化された映像／音声データとを多重する多重部（ＭＵＸ）１５、１８と、各ＭＵＸ１５、１８の出力を無線信号に乗せて送信するＲＦ多重部１９とを備えている。
【００４７】
また、ＣＡＴＶ局３０は、その局が提供するサービスのサービスリストを含むＮＩＴを生成するＮＩＴ生成部６１と、番組情報提供側１０から送られて来るＮＩＴをＮＩＴ生成部６１が生成したＮＩＴで置き換えるＮＩＴ置換部６２、６３、６４とを備えており、その他に、図８のＣＡＴＶ局と同様に、番組情報提供側１０からの送信信号を受信するアンテナ３１と、受信信号をＴＳごとに分離する分離器（ＤＩＶ）３２と、ＴＳパケットを抽出するＩＲＴ３３、３６、３９と、自主放送用の映像／音声データを符号化するＥＮＣ４２と、各受信機８０の自主放送に対する契約情報などを送出する受信機設定部４３と、ＮＩＴ置換部６４、ＥＮＣ４２及び受信機設定部４３の出力を多重するＭＵＸ４８と、不正視聴防止のためＮＩＴ置換部６２、６３の出力を暗号化するＳＣＲ４９、５０と、ＭＵＸ４８の出力を暗号化するＳＣＲ５１と、ＳＣＲ４９、５０、５１の出力を６４ＱＡＭ変調する変調器５２、５３、５４と、変調器５２、５３、５４の出力を混合する混合器（ＭＩＸ）５５とを備えている。ＣＡＴＶ局３０は、自主放送用の映像／音声データを番組情報提供側１０から受信したＴＳの空きを利用して送信する。
【００４８】
受信機８０の構成は、図８と変わりがない。
【００４９】
次に、このシステムの動作について説明する。
【００５０】
番組情報提供側１０の全ＰＳＩ生成部２０は、共通放送のサービスのＰＳＩ情報と、各ＣＡＴＶ局３０が独自に行う自主放送のサービスのＰＳＩ情報とを作成し、また、全ＳＩ生成部２１は、共通放送のサービスのＳＩ情報と、各ＣＡＴＶ局３０が独自に行う自主放送のサービスのＳＩ情報とを作成する。ＴＳパケット送出部１３、１６は、全ＰＳＩ生成部２０及び全ＳＩ生成部２１で生成されたＳＩ／ＰＳＩ情報をＴＳパケットに成形して送出する。このＳＩ／ＰＳＩ情報は、多重部（ＭＵＸ）１５、１８により、ＥＮＣ１４、１７で符号化された番組の映像／音声データと多重され、ＲＦ多重部１９から送信される。
【００５１】
番組情報提供側１０から送信された信号は、ＣＡＴＶ局３０のアンテナ３１で受信され、ＤＩＶ３２でＴＳごとに分離され、ＩＲＴ３３、３６、３９によってＴＳパケットが抽出される。
【００５２】
また、ＣＡＴＶ局３０のＮＩＴ生成部６１は、このＣＡＴＶ局３０で放送する全てのサービスのリストを含むＮＩＴを生成する。ＣＡＴＶ局３０が放送するサービスには、番組情報提供側１０から提供される共通放送のサービスや自主放送のサービスが含まれる。また、共通放送サービスの一部を除くこともできる。
【００５３】
ＮＩＴ置換部６２、６３、６４は、ＩＲＴ３３、３６、３９によって抽出されたＴＳパケットの中からＮＩＴのＰＩＤを含むＴＳパケットを廃棄して、ＮＩＴ生成部６１が生成したＮＩＴを取り込む。ＮＩＴ置換部６２、６３から出力されたデータは、ＳＣＲ４９、５０で暗号化され、変調器５２、５３で６４ＱＡＭ変調される。また、ＮＩＴ置換部６４から出力されたデータは、ＥＮＣ４２で符号化された自主放送の映像／音声データや、受信機設定部４３から送出された契約情報などとＭＵＸ４８で多重され、ＳＣＲ５１で暗号化され、変調器５４で６４ＱＡＭ変調される。各変調器５２、５３、５４で変調された各ＴＳの信号は、混合されてケーブルで受信機８０に伝送される。
【００５４】
受信機８０には、チューナー８１でチューニングされたＴＳのＴＳパケットが取り込まれ、ＴＳ復調部８２で復調され、設定管理部８４の管理の許に、ＣＡ  Ｄｅｓｃ８５で暗号化が解除される。Ｄｅ ＭＵＸ８５は、ＳＩ／ＰＳＩ情報をＥＰＧ処理部８６に送り、ＥＰＧ処理部８６は、Ｄｅ ＭＵＸ８５からＳＩ／ＰＳＩを受け取ると、ＮＩＴをＮＩＴ格納部８７に格納する。このＮＩＴはＣＡＴＶ局３０のＮＩＴ生成部６１で生成されたものである。また、ＥＰＧ処理部８６は、ＳＩ／ＰＳＩ情報を使ってＥＰＧを生成し、表示する。
【００５５】
このとき、ＳＩ情報には、番組情報提供側１０の全ＳＩ生成部２１で生成された共通放送サービスのＳＩ情報と、各ＣＡＴＶ局３０の自主放送サービスのＳＩ情報とが含まれているが、ＮＩＴ格納部８７に格納されたＮＩＴには、ＣＡＴＶ局３０が放送するサービスのサービスリストしか含まれていないため、このサービスリストに載った、ＣＡＴＶ局３０から提供されるサービスだけの電子番組表が表示される。
【００５６】
この電子番組表からユーザが番組を選択すると、ＥＰＧ処理部８６は、格納しているＮＩＴから周波数の情報を取得して、チューナー８１のチューニングを指示し、ＳＩ／ＰＳＩ情報からＡＶ用データのＰＩＤを取得してＤｅ ＭＵＸ８５に伝える。Ｄｅ ＭＵＸ８５は、そのＰＩＤのＴＳパケットを分離してＡＶ表示部８９に送り、ＡＶ表示部８９は映像・音声を表示する。
【００５７】
このように、この番組情報送出システムでは、ＳＩ情報の生成を番組情報提供側に任せ、ＣＡＴＶ局は、そのＣＡＴＶ局が放送するサービスのリストを含むＮＩＴだけを生成している。このＮＩＴの情報量はＳＩの情報量の１／１０００程度であり、極めて少ない。また、ＮＩＴの情報内容は殆ど変化しない。そのため、ＣＡＴＶ局にＮＩＴを生成するＮＩＴ生成部を設けても、ＣＡＴＶ局の負担は極めて少ない。
【００５８】
なお、ここでは、番組情報提供側１０の全ＰＳＩ生成部２０で、自主放送サービスを含む全てのサービスのＰＳＩを生成する場合について示したが、このＰＳＩ生成部では、共通放送のＰＳＩだけを生成するようにしても良い。この場合、自主放送サービスを行わずに、共通放送サービスだけを提供するＣＡＴＶ局は、番組情報提供側１０から受信したＳＩ／ＰＳＩ情報をそのまま送出すれば済むことになる。
【００５９】
（第２の実施形態）
第２の実施形態では、ＣＡＴＶ局が自主放送サービスを独自のＴＳで運用する場合について説明する。全局ＳＩ方式では、ＣＡＴＶ局が独自に運用するＴＳにも、ＣＡＴＶ局が提供する全てのサービスのＳＩ／ＰＳＩ情報を含めなければならない。この独自運用のＴＳに含めるＳＩ／ＰＳＩ情報の生成を、第１の実施形態と同様に、番組情報提供側に任せるとしても、そのＴＳを運用していない番組情報提供側１０から、如何にしてＳＩ／ＰＳＩ情報をＣＡＴＶ局に送り込むか、と云う点が問題になる。
【００６０】
このシステムでは、番組情報提供側１０が、ＳＩ／ＰＳＩ情報に本来のＰＩＤでは無いＰＩＤを付して送信し、これを受信したＣＡＴＶ局が、ＰＩＤを本来のＰＩＤに付け替えて、独自運用するＴＳに含めるようにしている。
【００６１】
この番組情報送出システムでは、図２に示すように、番組情報提供側１０のＴＳパケット送出部１６が、自主放送ＴＳ用のＳＩ／ＰＳＩ情報に特別のＰＩＤを付す自主ＴＳ処理部２２を備えている。また、ＣＡＴＶ局３０は、特別のＰＩＤが付されたＳＩ／ＰＳＩ情報に本来のＰＩＤを付したり、不要なＳＩ／ＰＳＩ情報を削除したりするＰＩＤ置換部６５、６６を備えている。その他の構成は第１の実施形態（図１）と変わりがない。
【００６２】
次に、このシステムの動作について説明する。
【００６３】
番組情報提供側１０の全ＰＳＩ生成部２０は、各ＣＡＴＶ局３０の自主放送サービスを含む全てのサービスのＰＳＩを作成し、また、全ＳＩ生成部２１は、各ＣＡＴＶ局３０の自主放送サービスを含む全てのサービスのＳＩ情報を作成する。ＴＳパケット送出部１３、１６は、全ＰＳＩ生成部２０及び全ＳＩ生成部２１で生成されたＳＩ／ＰＳＩ情報のＴＳパケットを送出する。また、ＴＳパケット送出部１６の自主ＴＳ処理部２２は、ＣＡＴＶ局３０が独自運用するＴＳ用のＳＩ／ＰＳＩ情報のＴＳパケットを生成し、特別のＰＩＤを付して送出する。ＴＳパケット送出部１３、１６から送出されたＳＩ／ＰＳＩ情報は、符号化された番組の映像／音声データと多重されて送信される。
【００６４】
番組情報提供側１０から送信された信号は、ＣＡＴＶ局３０で受信され、ＤＩＶ３２でＴＳごとに分離され、ＩＲＴ３３、３６、３９によってＴＳパケットが抽出される。ＰＩＤ置換部６５は、特別のＰＩＤが付されたＳＩ／ＰＳＩ情報を削除する。従って、本来のＰＩＤが付されたＳＩ／ＰＳＩ情報だけが残ることになる。一方、ＰＩＤ置換部６６は、正規のＰＩＤが付されたＳＩ／ＰＳＩ情報を削除し、特別のＰＩＤが付されたＳＩ／ＰＳＩ情報のＰＩＤを本来のＰＩＤに置換する。
【００６５】
その後の動作は、第１の実施形態と同じである。ＰＩＤ置換部６６でＰＩＤが置換されたＳＩ／ＰＳＩ情報は、ＮＩＴ置換が行われた後、自主放送の映像／音声や、受信機設定部４３から送出された契約情報などとＭＵＸ４８で多重され、ＳＣＲ５１で暗号化され、変調器５４で６４ＱＡＭ変調され、ＣＡＴＶ局３０が独自運用するＴＳによって送信される。
【００６６】
図７は、このシステムでＣＡＴＶ局３０が受信する各ＴＳのＳＩ／ＰＳＩ情報と、ＣＡＴＶ局３０から送信される各ＴＳのＳＩ／ＰＳＩ情報とを模式的に示している。ＣＡＴＶ局３０は、ＴＳ５を自主運用する。このＴＳ５に含めるＳＩ／ＰＳＩ情報は、別ＰＩＤを付してＴＳ４により送られて来る。ＣＡＴＶ局３０は、このＴＳ４から別ＰＩＤが付されたＳＩ／ＰＳＩ情報を削除して、ＴＳ４に本来のＳＩ／ＰＳＩ情報だけを残す。また、受信したＴＳ４から正規のＰＩＤが付されたＳＩ／ＰＳＩ情報を削除し、別ＰＩＤが付されたＳＩ／ＰＳＩ情報のＰＩＤを本来のＰＩＤに置換してＴＳ５のＳＩ／ＰＳＩ情報とする。
【００６７】
このように、この番組情報送出システムでは、ＣＡＴＶ局が自主放送サービスを独自のＴＳで運用する場合でも、全局ＳＩ方式による番組情報送信が可能である。
【００６８】
（第３の実施形態）
本発明の第３の実施形態では、ＣＡＴＶ局のサービスリストを含むＮＩＴが番組情報提供側で生成される番組情報送出システムについて説明する。
【００６９】
このシステムでは、図３に示すように、番組情報提供側１０において、共通放送サービスのＰＳＩを生成する共通ＰＳＩ生成部２３が、各ＣＡＴＶ局用のＮＩＴ（即ち、各ＣＡＴＶ局から提供されるサービスのリストを含むＮＩＴ）を生成する各ＣＡＴＶ別ＮＩＴ生成部２４を備えており、また、ＴＳパケット送出部１３、１６が、各ＣＡＴＶ局用のＮＩＴに別々のＰＩＤを付して送出する各ＮＩＴ別ＰＩＤ送出部２５、２６を備えている。
【００７０】
また、ＣＡＴＶ局３０は、ＮＩＴ生成部やＮＩＴ置換部の代わりに、正規のＰＩＤが付されたＮＩＴを削除し、このＣＡＴＶ局３０用のＰＩＤが付されたＮＩＴのＰＩＤを正規のＰＩＤに置換するＰＩＤ置換部６７、６８、６９を備えている。その他の構成は第１の実施形態（図１）と変わりがない。
【００７１】
次に、このシステムの動作について説明する。
【００７２】
番組情報提供側１０の共通ＰＳＩ生成部２３の各ＣＡＴＶ別ＮＩＴ生成部２４は、各ＣＡＴＶ局が提供するサービスを把握して、各ＣＡＴＶ局のサービスのリストを含むＮＩＴを生成する。
【００７３】
また、全ＳＩ生成部２１は、各ＣＡＴＶ局３０の自主放送サービスを含む全てのサービスのＳＩ情報を作成する。
【００７４】
ＴＳパケット送出部１３、１６の各ＮＩＴ別ＰＩＤ送出部２５、２６は、各ＣＡＴＶ別ＮＩＴ生成部２４で生成された各ＣＡＴＶ局のＮＩＴに、各ＣＡＴＶ局別のＰＩＤを付して送出する。
【００７５】
一方、ＣＡＴＶ局３０のＰＩＤ置換部６７、６８、６９は、正規のＰＩＤが付されたＮＩＴを受信した場合に、それを削除し、このＣＡＴＶ局３０用のＰＩＤが付されたＮＩＴを受信した場合に、そのＰＩＤを正規のＰＩＤに置換する。
【００７６】
こうした処理を行うことにより、ＣＡＴＶ局３０から送信されたデータを受信した受信機８０は、ＮＩＴとして、正規のＰＩＤが付されたＣＡＴＶ局３０用のＮＩＴだけを識別することになる。そのため、受信機８０では、第１の実施形態と同様の処理が行われる。
【００７７】
このように、この番組情報送出システムでは、ＣＡＴＶ局にＮＩＴ生成部を設ける必要が無く、ＣＡＴＶ局の構成を簡素化できる。
【００７８】
（第４の実施形態）
本発明の第４の実施形態では、ＣＡＴＶ局がその局のサービスリストを含むＮＩＴを特定のＴＳで送出し、受信機が、そのＴＳからＮＩＴを受信する番組情報送出システムについて説明する。
【００７９】
この番組情報送出システムでは、図４に示すように、ＣＡＴＶ局３０が、その局から提供するサービスのリストを含むＮＩＴを生成して、正規のＰＩＤとは異なる特別のＰＩＤを付して送出する特定ＮＩＴ生成部７０を備えており、また、受信機８０のＥＰＧ処理部８６が、このＮＩＴを受信する特定ＮＩＴ受信部９１を備えている。
【００８０】
次に、このシステムの動作について説明する。
【００８１】
番組情報提供側１０の共通ＰＳＩ生成部２３は、共通放送のＰＳＩ情報を作成し、全ＳＩ生成部２１は、各ＣＡＴＶ局３０の自主放送サービスを含む全てのサービスのＳＩ情報を作成する。番組情報提供側１０は、これらの情報を全てのＴＳに含めて送出する。
【００８２】
ＣＡＴＶ局３０では、特定ＮＩＴ生成部７０が、その局から提供するサービスのリストを含むＮＩＴを生成し、正規のＰＩＤとは異なる特別のＰＩＤを付して送出する。この特定ＮＩＴ生成部７０の出力は、番組情報提供側１０から受信した情報や、ＥＮＣ４２で符号化された自主放送の映像／音声データ、受信機設定部４３から送出された契約情報などとＭＵＸ４８で多重され、特定のＴＳによって受信機８０に伝送される。また、他のＴＳでは、番組情報提供側１０から受信した情報がそのまま伝送される。
【００８３】
受信機８０は、まず、この特定のＴＳを受信する。ＥＰＧ処理部８６の特定ＮＩＴ受信部９１は、特別のＰＩＤが付されたＮＩＴを受信してＮＩＴ格納部８７に格納する。
【００８４】
こうして、ＮＩＴ格納部８７に、このＣＡＴＶ局のサービスリストを含むＮＩＴが格納されることにより、各ＴＳがＣＡＴＶ各局の自主放送サービスを含む全てのサービスのＳＩを含んでいても、電子番組表には、このＣＡＴＶ局３０から提供されるサービスだけの番組表が表示されることになる。
【００８５】
このように、この番組情報送出システムでは、番組情報提供側が全てのサービスのＳＩを生成して各ＴＳから流し、ＣＡＴＶ局が自局のサービスリストを含むＮＩＴを生成して特定のＴＳから流し、受信機は、その特定のＴＳからＣＡＴＶ局のサービスリストを含むＮＩＴを取得しており、こうした構成で全局ＳＩ方式による番組情報の送出が可能になる。
【００８６】
（第５の実施形態）
本発明の第５の実施形態では、受信機が、ＣＡＴＶ局のＮＩＴを受信情報から生成する番組情報送出システムについて説明する。
【００８７】
この番組情報送出システムでは、図５に示すように、ＣＡＴＶ局３０が、ＣＡＴＶ局のサービスリストを含むＮＩＴと共通放送のＮＩＴとの差分（差分ＮＩＴ）を生成する差分ＮＩＴ生成部７１を備えており、また、受信機８０のＥＰＧ処理部８６が、特定のＴＳから差分ＮＩＴを受信する差分ＮＩＴ受信部９２と、共通放送のＮＩＴを受信するＮＩＴ受信部９３と、差分ＮＩＴと共通放送のＮＩＴとからＣＡＴＶ局のＮＩＴを合成するＮＩＴ合成部９４とを備えている。
【００８８】
その他の構成は第４の実施形態（図４）と変わりがない。
【００８９】
次に、このシステムの動作について説明する。
【００９０】
番組情報提供側１０の共通ＰＳＩ生成部２３は、共通放送のＰＳＩ情報を作成し、全ＳＩ生成部２１は、各ＣＡＴＶ局３０の自主放送サービスを含む全てのサービスのＳＩ情報を作成する。番組情報提供側１０は、これらの情報を全てのＴＳに含めて送出する。
【００９１】
ＣＡＴＶ局３０では、差分ＮＩＴ生成部７１が、差分ＮＩＴを生成する。この差分ＮＩＴは、番組情報提供側１０から受信した情報や、ＥＮＣ４２で符号化された自主放送の映像／音声データ、受信機設定部４３から送出された契約情報などとＭＵＸ４８で多重され、特定のＴＳによって受信機８０に伝送される。また、他のＴＳでは、番組情報提供側１０から受信した情報がそのまま伝送される。
【００９２】
受信機８０では、ＥＰＧ処理部８６の差分ＮＩＴ受信部９２が、特定のＴＳから差分ＮＩＴを取得する。また、ＮＩＴ受信部９３は、各ＴＳをスキャンして共通放送のＰＳＩ情報に含まれるＮＩＴを取得する。ＮＩＴ合成部９４は、ＮＩＴ受信部９３が取得したＮＩＴと、差分ＮＩＴ受信部９２が取得した差分ＮＩＴとを組み合わせて、ＣＡＴＶ局３０が提供するサービスのＮＩＴを合成し、ＮＩＴ格納部８７に格納する。
【００９３】
その後の動作は、第４の実施形態と同じでる。
【００９４】
この番組情報送出システムでは、ＢＳ放送やＣＳ放送などのＮＩＴの変更があった場合でも、ＣＡＴＶ局３０は、自ら作成するＮＩＴ（差分ＮＩＴ）に反映させる必要がない。そのため、ＣＡＴＶ局の運用が楽になる。
【００９５】
受信機８０は、各ＴＳをスキャンしなければならないが、ＮＩＴ情報をとる必要がなくても、ＥＩＴなど他の情報を毎日取りに行かなければならないので、負担が増えることにはならない。
【００９６】
（第６の実施形態）
本発明の第６の実施形態では、受信機が、受信機設定情報からＮＩＴ情報を抽出してＣＡＴＶ局のＮＩＴを生成する番組情報送出システムについて説明する。
【００９７】
このシステムでは、図６に示すように、ＣＡＴＶ局３０が、自主放送に対する契約情報などの受信機設定情報にＮＩＴ情報を付与するＮＩＴ付与部７２を備えており、また、受信機８０の設定管理部８４が、受信機設定情報からＮＩＴ情報を抽出するＮＩＴ抽出部９５を備え、また、ＥＰＧ処理部８６が、抽出されたＮＩＴ情報や共通放送のＮＩＴからＣＡＴＶ局３０のＮＩＴを加工するＮＩＴ加工部９６を備えている。
【００９８】
次に、このシステムの動作について説明する。
【００９９】
ＣＡＴＶ局３０の受信機設定部４３は、自主放送に対する契約情報などの受信機設定情報を各受信機に対して設定し、ＮＩＴ付与部７２は、この受信機設定情報に自主放送のＮＩＴを付与する。
【０１００】
一方、受信機８０では、設定管理部８４のＮＩＴ抽出部９５が、受信機設定情報からＮＩＴ情報を抽出する。ＥＰＧ処理部８６のＮＩＴ加工部９６は、抽出されたＮＩＴ情報と、各ＴＳをスキャンして取得した共通放送のＮＩＴ情報とを加工してＣＡＴＶ局３０のＮＩＴを生成し、ＮＩＴ格納部８７に格納する。
【０１０１】
その後の動作は、第４の実施形態と同じでる。
【０１０２】
このように、この番組情報送出システムでは、受信機側でＣＡＴＶ局のＮＩＴ情報を構成することができる。
【０１０３】
なお、全局ＳＩ方式を採る放送方式と、それを採らない放送方式とが混在する形態に対応するため、番組情報提供側から、送出する全放送の放送方式を特定するnetwork_idと周波数との対応表を特定ＴＳで送り、受信機は、その特定ＴＳから対応表を取得して、全局ＳＩ方式を採る放送方式（ＢＳ放送／ＣＳ放送／Ｄ−ＣＡＴＶ  Ｒｅｍｕｘ）の場合にはどれか１つのＴＳのみを見に行き、それ以外の放送方式（地上デジタル）の場合は各ＴＳを見るようにしても良い。
【産業上の利用可能性】
【０１０４】
本発明は、ＣＡＴＶ局などのローカル局が、大きな設備負担を伴わずに、自主放送を含む配信放送の番組情報を全局ＳＩ方式で送出することができるローカル局装置およびローカル局の配信方法として有用である。
【図面の簡単な説明】
【０１０５】
【図１】本発明の第１の実施形態における番組情報送出システムの構成を示すブロック図
【図２】本発明の第２の実施形態における番組情報送出システムの構成を示すブロック図
【図３】本発明の第３の実施形態における番組情報送出システムの構成を示すブロック図
【図４】本発明の第４の実施形態における番組情報送出システムの構成を示すブロック図
【図５】本発明の第５の実施形態における番組情報送出システムの構成を示すブロック図
【図６】本発明の第６の実施形態における番組情報送出システムの構成を示すブロック図
【図７】本発明の第２の実施形態での各ＴＳにおけるＳＩ／ＰＳＩ情報を示す図
【図８】従来の番組情報送出システムの構成を示すブロック図
【符号の説明】
【０１０６】
１０  番組情報提供側
１１  共通ＰＳＩ生成部
１２  共通ＳＩ生成部
１３、１６  ＴＳパケット送出部
１４、１７  ＥＮＣ
１５、１８  ＭＵＸ
１９  ＲＦ多重部
２０  全ＰＳＩ生成部
２１  全ＳＩ生成部
２２  自主ＴＳ処理部
２４  各ＣＡＴＶ別ＮＩＴ生成部
２５、２６  各ＮＩＴ別ＰＩＤ送出部
３０  ＣＡＴＶ局
３１  アンテナ
３２  ＤＩＶ
３３、３６、３９  ＩＲＴ
３４、３７、４０  ＰＩＤ置換部
３５、３８、４１  ＴＳパケット送出部
４２  ＥＮＣ
４３  受信機設定部
４４  ＰＳＩ生成部
４５  ＳＩ生成部
４６、４７、４８  ＭＵＸ
４９、５０、５１  ＳＣＲ
５２、５３、５４  変調器
５５  ＭＩＸ
６１  ＮＩＴ生成部
６２、６３、６４  ＮＩＴ置換部
６５、６６  ＰＩＤ置換部
６７、６８、６９  ＰＩＤ置換部
７０  特定ＮＩＴ生成部
７１  差分ＮＩＴ生成部
７２  ＮＩＴ付与部
８０  受信機
８１  チューナー
８２  ＴＳ復調部
８３  ＣＡ Ｄｅｓｃ
８４  設定管理部
８５  Ｄｅ ＭＵＸ
８６  ＥＰＧ処理部
８７  ＮＩＴ格納部
８８  ＮＩＴ受信部
８９  ＡＶ表示部
９０  ＥＰＧ表示部
９１  特定ＮＩＴ受信部
９２  差分ＮＩＴ受信部
９３  ＮＩＴ受信部
９４  ＮＩＴ合成部
９５  ＮＩＴ抽出部
９６  ＮＩＴ加工部
【図１】
2008178123.tif 000003
【図２】
2008178123.tif 000004
【図３】
2008178123.tif 000005
【図４】
2008178123.tif 000006
【図５】
2008178123.tif 000007
【図６】
2008178123.tif 000008
【図７】
2008178123.tif 000009
【図８】
2008178123.tif 000010